(57)【要約】【課題】  音声通信とデータ通信を同時運用するにあたり、複数種類のデータ信号の送信を可能とし、データ通信の通信効率を向上させることである。【解決手段】  音声フレームとデータフレームとが交互に繰り返されるデータ部Ｄを備える通信フレームＦを生成するにあたり、データフレームに挿入されるデータ信号に関する情報を記述するためのミニヘッダＭＨを設ける。ミニヘッダＭＨを設けた一つのデータフレームに複数のデータフレームを結合させる。【選択図】  図３
2006157477.tif 000002
【特許請求の範囲】
【請求項１】
音声通信用の音声信号を挿入するための音声フレームとデータ通信用のデータ信号を挿入するためのデータフレームとが交互に繰り返されるデータ部を備える通信フレームを生成して送信する送信機であって、
前記データフレームに、データフレームに挿入されるデータ信号に関する情報を記述するためのミニヘッダを設けることを特徴とする送信機。
【請求項２】
音声通信用の音声信号を挿入するための音声フレームとデータ通信用のデータ信号を挿入するためのデータフレームとが交互に繰り返されるデータ部を備える通信フレームを生成して送信する送信機であって、
前記データフレームにおいて隣り合うデータフレームの所定数に結合関係を与えるとともに、該結合関係を与えた複数のデータフレームの先頭のデータフレームに、前記複数のデータフレームに挿入されるデータ信号に関する情報を記述するためのミニヘッダを設けることを特徴とする送信機。
【請求項３】
前記ミニヘッダを、前記複数のデータフレームの各々に挿入されるデータ信号の各々に関する情報を記述すべく設けることを特徴とする請求項２に記載の送信機。
【請求項４】
前記ミニヘッダを、前記結合関係を与えたデータフレームの個数をさらに記述すべく設けることを特徴とする請求項２又は３に記載の送信機。
【請求項５】
音声通信用の音声信号を挿入するための音声フレームとデータ通信用のデータ信号を挿入するためのデータフレームとが交互に繰り返されるデータ部を備える通信フレームを生成する通信フレームの生成方法であって、
前記データフレームに、当該データフレームに挿入されるデータ信号に関する情報を記述するためのミニヘッダを設けるミニヘッダ形成工程を備えることを特徴とする通信フレームの生成方法。
【請求項６】
音声通信用の音声信号を挿入するための音声フレームとデータ通信用のデータ信号を挿入するためのデータフレームとが交互に繰り返されるデータ部を備える通信フレームを生成する通信フレームの生成方法であって、
前記データフレームにおいて隣り合うデータフレームの所定数に結合関係を与えるデータフレーム結合工程と、
前記結合された複数のデータフレームの先頭のデータフレームに、前記複数のデータフレームに挿入されるデータに関する情報を記述するためのミニヘッダを設けるミニヘッダ形成工程と、を備えることを特徴とする通信フレームの生成方法。
【請求項７】
前記ミニヘッダ形成工程において、前記ミニヘッダを、前記複数のデータフレームの各々に挿入されるデータ信号の各々に関する情報を記述すべく設けることを特徴とする請求項６に記載の通信フレームの生成方法。
【請求項８】
前記ミニヘッダ形成工程において、前記ミニヘッダを、結合関係を与えるデータフレームの個数をさらに記述すべく設けることを特徴とする請求項６又は７に記載の通信フレームの生成方法。
【発明の詳細な説明】
【技術分野】
【０００１】
本発明は、送信機、及び通信フレームの生成方法に関する。
【背景技術】
【０００２】
音声通信機器が送受信する信号の通信フレームは、先頭のヘッダ部と、このヘッダ部に続く音声パケットの信号を含んで構成されている。そして、ヘッダ部は、相手方の通信機器との通信を確立するための同期信号や、ＩＤ情報等のヘッダ情報を含み（特許文献１）、信号の種類等の情報を含むこともある。
【０００３】
ところで、音声通信機器には、前記ヘッダ部の送信に続き、所定長の音声フレームとデータフレームとを連続して交互に送信することにより、音声通信とデータ通信の同時運用を可能にしたものがある。音声フレームには通話音の音声信号が挿入され、データフレームにはデータ通信用のデータ信号が挿入される。
【特許文献１】特開２００３−２９８６４４号公報
【発明の開示】
【発明が解決しようとする課題】
【０００４】
前記音声通信とデータ通信の同時運用を可能にした音声通信機器では、通話の終了に至るまで、音声フレームとデータフレームとが連続して送信される。そのため、データ信号は、音声信号と同様に垂れ流し的に送信されることになる。
【０００５】
ここで、データ信号に関する信号の種類等の情報を前記ヘッダ部に含めるとすると、同一カテゴリーのデータ信号しか送信できず、データフレームを効率良く利用できないことになる。特に、通話の終了までの時間が長い場合、データフレーム数が多くなるため、データ通信の効率を一層低下させることになる。
【０００６】
そこで、本発明は、音声通信とデータ通信を同時運用するにあたり、データ通信の通信効率の向上を可能にした送信機、及び通信フレームの生成方法を提供することを目的とする。
【課題を解決するための手段】
【０００７】
上記課題を解決するため、本発明の第１の観点に係る送信機は、音声通信用の音声信号を挿入するための音声フレームとデータ通信用のデータ信号を挿入するためのデータフレームとが交互に繰り返されるデータ部を備える通信フレームを生成して送信する送信機であって、
前記データフレームに、データフレームに挿入されるデータに関する情報を記述するためのミニヘッダを設けることを特徴としている。
【０００８】
本発明の送信機によると、通信フレームを生成するにあたり、データフレームに、データフレームに挿入されるデータ信号に関する情報を記述するためのミニヘッダを設ける。
【０００９】
これにより、音声信号とともに繰り返し送信されるデータ信号に関する情報をミニヘッダに記述でき、異なるデータフレームに異なるデータ信号を挿入することを可能にする。これにより、音声信号とともに複数種類のデータ信号を送信することができ、データ通信の通信効率を向上させることができる。
【００１０】
また、本発明の第２の観点に係る送信機は、音声通信用の音声信号を挿入するための音声フレームとデータ通信用のデータ信号を挿入するためのデータフレームとが交互に繰り返されるデータ部を備える通信フレームを生成して送信する送信機であって、
前記データフレームにおいて隣り合うデータフレームの所定数に結合関係を与えるとともに、該結合関係を与えた複数のデータフレームの先頭のデータフレームに、前記複数のデータフレームに挿入されるデータに関する情報を記述するためのミニヘッダを設けることを特徴としている。
【００１１】
本発明の送信機によると、複数のデータフレームに結合関係を与え、この結合関係を与えた複数のデータフレームの先頭のデータフレームに、ミニヘッダを設ける。このミニヘッダを、結合関係を与えた複数のデータフレームに挿入されるデータ信号に関する情報を記述すべく設ける。
【００１２】
これにより、この送信機によると、結合関係を与えた複数のデータフレームのうち、先頭のデータフレームにミニヘッダを設けるので、ミニヘッダを設けないデータフレームをデータ通信の目的のために有効利用でき、データ通信の通信効率を向上させることができる。
【００１３】
また、前記複数のデータフレームに結合関係を与える送信機において、前記ミニヘッダを、前記複数のデータフレームの各々に挿入されるデータ信号の各々に関する情報を記述すべく設けることができる。
【００１４】
この発明の送信機によると、結合関係を与えたデータフレームの全てに挿入されるデータ信号の全てに関する情報をミニヘッダに記述することができる。これにより、結合関係を与えたデータフレームにより送信するデータ信号の全てについて、受信機に、より確実に高速に処理させることができる。
【００１５】
また、前記ミニヘッダを、前記結合関係を与えたデータフレームの個数をさらに記述すべく設けることもできる。
【００１６】
また、本発明の第３の観点に係る通信フレームの生成方法は、音声通信用の音声信号を挿入するための音声フレームとデータ通信用のデータ信号を挿入するためのデータフレームとが交互に繰り返されるデータ部を備える通信フレームを生成する通信フレームの生成方法であって、
前記データフレームに、当該データフレームに挿入されるデータに関する情報を記述するためのミニヘッダを設けるミニヘッダ形成工程を備えることを特徴としている。
【００１７】
本発明によると、通信フレームを生成するにあたり、データフレームに、データフレームに挿入されるデータ信号に関する情報を記述するためのミニヘッダを設ける。
【００１８】
これにより、音声信号とともに繰り返し送信されるデータ信号に関する情報をミニヘッダに記述でき、異なるデータフレームに異なるデータ信号を挿入することを可能にする。これにより、音声信号とともに複数種類のデータ信号を送信することができ、データ通信の通信効率を向上させることができる。
【００１９】
また、本発明の第４の観点に係る通信フレームの生成方法は、音声通信用の音声信号を挿入するための音声フレームとデータ通信用のデータ信号を挿入するためのデータフレームとが交互に繰り返されるデータ部を備える通信フレームを生成する通信フレームの生成方法であって、
前記データフレームにおいて隣り合うデータフレームの所定数に結合関係を与えるデータフレーム結合工程と、
前記結合された複数のデータフレームの先頭のデータフレームに、前記複数のデータフレームに挿入されるデータに関する情報を記述するためのミニヘッダを設けるミニヘッダ形成工程と、を備えることを特徴としている。
【００２０】
本発明によると、通信フレームを生成するにあたり、複数のデータフレームに結合関係を与え、この結合関係を与えた複数のデータフレームの先頭のデータフレームに、ミニヘッダを設ける。このミニヘッダを、結合関係を与えた複数のデータフレームに挿入されるデータ信号に関する情報を記述すべく設ける。
【００２１】
これにより、結合関係を与えた複数のデータフレームのうち、先頭のデータフレームにミニヘッダを設けるので、ミニヘッダを設けないデータフレームをデータ通信の目的のために有効利用でき、データ通信の通信効率を向上させることができる。
【００２２】
また、前記複数のデータフレームに結合関係を与えて通信フレームを生成する場合における前記ミニヘッダ形成工程において、前記ミニヘッダを、前記複数のデータフレームの各々に挿入されるデータ信号の各々に関する情報を記述すべく設けることもできる。
【００２３】
この発明によると、結合関係を与えたデータフレームの全てに挿入されるデータ信号の全てに関する情報をミニヘッダに記述することができる。これにより、結合関係を与えたデータフレームにより送信するデータ信号の全てについて、受信機に、より確実に高速に処理させることができる。
【００２４】
また、前記ミニヘッダ形成工程において、前記ミニヘッダを、結合関係を与えるデータフレームの個数をさらに記述すべく設けることもできる。
【発明の効果】
【００２５】
本発明によると、通信フレームを生成するにあたり、データフレームに、データフレームに挿入されるデータ信号に関する情報を記述するためのミニヘッダを設ける。これにより、音声信号とともに繰り返し送信されるデータ信号に関する情報をミニヘッダに記述でき、異なるデータフレームに異なるデータ信号を挿入することを可能にする。これにより、音声信号とともに複数種類のデータ信号を送信することができ、データ通信の通信効率を向上させることができる。
【発明を実施するための最良の形態】
【００２６】
本発明の実施の形態について、図１乃至図４により説明する。図１は、本発明の一実施形態の送信機を含んで構成される通信機３０のブロック図である。通信機３０は、信号の送信機能と受信機能を備えて構成される。この通信機３０の送信機能を実行する部分により、本発明の一実施形態である送信機を実施することができる。
【００２７】
通信機３０は、送信機として機能する場合、通信機３０を使用するユーザの通話音に基づく音声信号、及びデータ通信用のデータ信号を受信機に向かって送信する。一方、通信機３０は、受信機として機能する場合、送信機より送信された通話音に基づく音声信号を受信し、また送信機より送信されたデータ通信用のデータ信号を受信する。
【００２８】
通信機３０は、図１に示すように、アンテナ１と送受信切替部２と送信部３と受信部４と音声Ａ／Ｄ・Ｄ／Ａ変換部５とインターフェース部６とコントローラ７と増幅器８とマイク９とスピーカ１０と操作部１１とディスプレイ１２を備えている。
【００２９】
操作部１１は、通信機３０を動作させる条件情報を入力するため設けられている。操作部１１には、図１に図示されない各種の操作キーが設けられている。通信機３０のユーザが操作キーを操作することにより、そのキー入力に基づく動作を通信機３０に行わせることができる。
【００３０】
この操作キーとして、通信フレームＦのヘッダ部Ｈの識別情報（ＩＤ）部のデータを入力するための操作キーが設けられている。また、通信フレームＦを形成するにあたり、結合させるデータフレームの個数を入力する操作を行うための操作キーも設けられている。
【００３１】
ディスプレイ１２は、通信機３０の動作に伴う各種の情報を表示する。ディスプレイ１２には、ユーザが行った操作部１１への入力操作の内容が表示される。これにより、ディスプレイ１２上で、操作部１１に対する入力操作の内容を確認できる。
【００３２】
また、ディスプレイ１２には、通信機３０が送信機又は受信機のいずれとして機能しているかが表示される。また、ディスプレイ１２には、通信機３０が通信を行っている相手の通信機のＩＤ（識別情報）も表示される。
【００３３】
また、ディスプレイ１２には、ユーザに対して一定の入力操作を促すメッセージも表示される。そして、通信機３０が通信フレームＦを生成するにあたり、データフレームの複数を結合させる処理を行う場合に、結合させるデータフレームの個数をユーザに対して問い合わせ、その個数の入力を促すメッセージがディスプレイ１２に表示される。
【００３４】
まず、通信機３０が、送信機として機能する場合のブロックについて説明する。通信機３０のユーザによる通話音はマイク９により音声信号に変換され、この音声信号は増幅器８に入力される。増幅器８に入力された音声信号は、増幅器８により増幅された後、音声Ａ／Ｄ・Ｄ／Ａ変換部５に出力される。
【００３５】
音声Ａ／Ｄ・Ｄ／Ａ変換部（音声アナログ／ディジタル・ディジタル／アナログ変換部）５は、音声信号をアナログ信号とディジタル信号間で信号変換を行うアナログ−ディジタル変換機能を備えている。通信機３０が送信機として機能する場合、音声Ａ／Ｄ・Ｄ／Ａ変換部５は、アナログの音声信号をディジタルの音声信号に変換するディジタル変換機能を有する。
【００３６】
また、音声Ａ／Ｄ・Ｄ／Ａ変換部５は、通信機３０が送信機として機能する場合、ディジタル信号とされた音声信号を圧縮する圧縮機能を有する。
【００３７】
音声Ａ／Ｄ・Ｄ／Ａ変換部５は、増幅器８より入力されたアナログの音声信号をディジタルの音声信号に変換する。そして、音声Ａ／Ｄ・Ｄ／Ａ変換部５は、このディジタル信号とした音声信号をさらに圧縮し、圧縮した音声信号を送信部３に出力する。
【００３８】
インターフェース部６に接続される外部入出力端子１７にはデータ通信用のパーソナルコンピュータ（以下、「パソコン」という）１５が接続されており、インターフェース部６にはパソコン１５よりデータ通信用のデータ信号が入力される。インターフェース部６は、入力されたデータ信号を送信部３に出力する。
【００３９】
送信部３は、入力された信号を変調する変調機能を備える。この通信機３０の例では、送信部３が信号を変調する方式として、ＧＭＳＫ（Gaussian filtered Minimum Shift Keying）変調方式が採用される。
【００４０】
ＧＭＳＫ変調方式は、ディジタル変調方式の一つであり、２値の入力信号をいったんガウスフィルタと呼ばれるフィルタを通し、その後周波数変調を行うことにより、狭帯域化を図った変調方式である。送信部３は、入力された音声信号及びデータ信号を、このＧＭＳＫ変調方式により変調する処理を行う。
【００４１】
送信部３は、前記変調する処理を行った信号を、送受信切替部２に出力する。送受信切替部２は、通信機３０が送信機として機能する場合、送信部３より入力された信号をアンテナ１に導く回路が形成される。そして、送受信切替部２に入力された信号は、アンテナ１に出力され、アンテナ１より通信機３０の相手方となる受信機へ送信される。
【００４２】
ここで、通信機３０が送信する信号の通信フレームについて、図２も参酌しつつ説明する。図２は、通信機３０が送信する信号の通信フレームＦの構成を示す図である。図２（ａ）は通信フレームＦの全体の構成を示しており、図２（ｂ）は通信フレームＦのデータ部Ｄをより詳しく示している。
【００４３】
図２（ａ）に示すように、通信フレームＦは、先頭のヘッダ部Ｈとこれに続くデータ部Ｄから構成される。ヘッダ部Ｈは、相手方の受信機と接続するために使用される部分であり、受信機との通信を確立するための情報信号を含んでいる。
【００４４】
ヘッダ部Ｈに含まれるビット同期は、入力信号の同期を取るためのビット同期信号である。ヘッダ部Ｈに含まれるフレーム同期は、これより信号であることを表すフレーム同期信号である。
【００４５】
ヘッダ部Ｈに含まれる識別情報（ＩＤ）部は、自局たる通信機３０を識別するためのデータ、相手方の受信機を識別するためのデータが挿入される。送り先中継局ＩＤは、中継局を介して相手局（相手方の受信機）と通信する場合における、受信機側の中継局を識別するための識別情報である。送り元中継局ＩＤは、中継局を介して相手局と通信する場合における、自局（通信機３０）側の中継局を識別するための識別情報である。
【００４６】
また、相手局ＩＤは相手方の受信機を識別するための識別情報であり、自局ＩＤは自局（通信機３０）を識別するための識別情報である。Ｐ_ＦＣＳは、ヘッダ部が有効かどうかのフレームチェックシーケンスを表す。
【００４７】
このヘッダ部Ｈを構成するためのデータは、コントローラ７より送信部３に入力される。相手方の受信機を特定するための前記各種ＩＤに関する情報は、通信機３０に設けられる操作キーをユーザが操作することにより入力され、コントローラ７に入力される。
【００４８】
データ部Ｄは、音声フレームとデータフレームとが交互に繰り返されて構成されている。音声フレームは、音声通信用の音声信号が挿入されるフレームであり、音声Ａ／Ｄ・Ｄ／Ａ変換部５より入力された音声データが挿入される。データフレームは、データ通信用のデータ信号が挿入されるフレームであり、インターフェース部６より入力されたデータが挿入される。
【００４９】
そして、この通信機３０にあっては、通信フレームＦを生成するにあたり、図２（ｂ）に示すように、データフレームの先頭部分にミニヘッダＭＨを設ける。ミニヘッダＭＨは、データフレームに挿入されるデータ信号に関する情報を記述するために設けられる。
【００５０】
ミニヘッダＭＨに記述する情報として、データ信号の種類等、データ信号のカテゴリを記述することができる。例えば、データ信号が映像信号である等の信号の種類を記述することができる。
【００５１】
また、ミニヘッダＭＨに記述する情報として、通信機３０にデータ信号を取り込んだ装置の情報を記述することもできる。例えば、通信機３０にパソコン１５のデータを取り込んで送信する場合、パソコン１５のデータが挿入されるデータフレームのミニヘッダＭＨに、装置情報としてパソコン１５を記述することができる。
【００５２】
なお、通信機３０はＧＰＳ（Global Positioning System）のデータを取り込んで送信することもできる。そして、この場合には、ＧＰＳのデータが挿入されるデータフレームのミニヘッダＭＨに、装置情報としてＧＰＳを記述することができる。
【００５３】
また、通信機３０は、送信の相手方の受信機と同期を取るための同期信号や、相手方の受信機にデータ部Ｄの受信処理を行わせるスケルチコードをデータフレームに挿入して送信することもできる。そして、この場合には、これらのデータが挿入されるデータフレームのミニヘッダＭＨに、これらのデータが同期信号であることやスケルチコードであること等の信号の種類を記述することができる。
【００５４】
また、ミニヘッダＭＨを設けるにあたり、複数のデータフレームに結合関係を与え、この複数のデータフレームのデータ信号に関する情報を記述すべくミニヘッダＭＨを設けることもできる。
【００５５】
図３は、複数のデータフレームに結合関係を与えてミニヘッダＭＨを設けた通信フレームＦの例を示す図である。  図３（ａ）は二つのデータフレームを結合させた例であり、図３（ｂ）は三つのデータフレームを結合させた例である。
【００５６】
複数のデータフレームに結合関係を与える場合、例えば図３（ａ）に示されるように、データフレームにおいて隣合う二つのデータフレームが結合されている。そして、図３（ａ）に示されるように、結合された二つのデータフレームの先頭のデータフレームの先頭部分に一つのミニヘッダＭＨが設けられている。また、図３（ｂ）に示されるように、結合した三つのデータフレームの先頭のデータフレームの先頭部分に一つのミニヘッダＭＨが設けられている。
【００５７】
この複数のデータフレームに結合関係を与える場合、一つのミニヘッダＭＨには、このミニヘッダＭＨと結合関係にあるデータフレームの全て（ミニヘッダＭＨが設けられるデータフレームと、このデータフレームに結合されたデータフレームの全て）に挿入されるデータ信号に関する情報が記述される。
【００５８】
そして、ミニヘッダＭＨに複数のデータフレームに挿入されるデータ信号に関する情報を記述するにあたり、全てのデータ信号に関する情報を記述することができる。一方、複数のデータフレームに挿入される全てのデータ信号のうち、特に重要なデータ信号に関する情報のみをミニヘッダＭＨに記述するようにし、ミニヘッダＭＨに情報を記述するデータ信号を選別することもできる。
【００５９】
また、ミニヘッダＭＨに記述する情報として、ミニヘッダＭＨが設けられるデータフレームと、このデータフレームに結合されるデータフレームの全ての個数を記述することもできる。
【００６０】
このように、複数のデータフレームを結合させ、その先頭のデータフレームに一つのミニヘッダＭＨを設け、このミニヘッダＭＨと結合関係にある全てのデータフレームに挿入されるデータ信号に関する情報を記述すると、ミニヘッダＭＨを設けるデータフレームを低減させることができる。
【００６１】
これにより、ミニヘッダＭＨを設けるデータフレームを低減させ、データ通信の目的のためにデータフレームを有効利用でき、データ通信の効率を向上させることができる。
【００６２】
また、通信機３０では、データフレームを結合させる個数を任意に変更できる。即ち、ユーザがデータフレームの個数を設定するための操作を操作部１１により行うと、その操作に応じてデータフレームを結合させる個数を任意に設定できる。
【００６３】
図１に示されるコントローラ７は、通信機３０の動作の制御を行う。コントローラ７は、ＣＰＵ（中央処理装置）、ＲＯＭ（読み出し専用メモリ）、ＲＡＭ（読み書き可能メモリ）を備えて構成される。
【００６４】
コントローラ７が通信機３０の動作を制御するための制御プログラムは、ＲＯＭに格納されている。そして、通信機３０が送信機として用いられる場合、コントローラ７は、通信機３０が送信機として機能するよう制御する。また、インターフェース部６がデータ通信用のデータを送信部３に出力する動作は、コントローラ７の制御の下に行われる。
【００６５】
また、コントローラ７のＲＡＭには通信フレームＦを生成するためのデータが記憶されている。例えば、ＲＡＭは、ヘッダ部Ｄを構成するための自局（通信機３０）のＩＤや相手局となる受信機のＩＤのデータ等を記憶している。また、ＲＡＭは、ミニヘッダＭＨの生成に関するデータも記憶する。
【００６６】
例えば、ミニヘッダＭＨの生成に関するデータとして、データ通信用のデータ信号に関する各種の情報がＲＡＭに記憶される。また、複数のデータフレームを結合させてミニヘッダＭＨを設ける場合、ユーザの操作により入力された、結合させるデータフレームの個数のデータはＲＡＭに記憶される。
【００６７】
また、コントローラ７には、例えばＵＳＢ（Universal Serial Bus（ユニバーサルシリアルバス））インターフェースが接続されており、ＵＳＢインターフェースに接続される外部機器のデータがコントローラ７に入力される。ＵＳＢインターフェースに外部機器としてパソコンを接続し、このパソコンにより通信機３０を制御することもできる。
【００６８】
次に、通信機３０が受信機として機能する場合のブロックについて説明する。受信機としての通信機３０には、相手方の送信機より通話音の音声信号とデータ通信用のデータ信号とが送信される。通信機３０に送信される信号は、図２、図３により説明した通信フレームＦを構成している。
【００６９】
アンテナ１は、通信機３０に送信された無線信号を受信する。アンテナ１が受信した無線信号は、送受信切替部２に入力される。送受信切替部２は、通信機３０が受信機として機能する場合、アンテナ１が受信した信号を受信部４に導く回路が形成される。
【００７０】
受信部４は、特定の通信チャンネルの信号を選択して受信するチューニング機能を備えている。受信部４には、受信する無線信号の周波数帯域が設定される。そして、受信部４に設定された周波数のチャンネルの受信信号がアンテナ１より送受信切替部２を通って受信部４に入力される。
【００７１】
また、受信部４は、入力された受信信号を復調する復調機能を備えている。この通信機３０の例では、受信部４は、ＧＭＳＫ復調を行う。受信部４が復調した受信信号の通信フレームＦに含まれるヘッダ部Ｈのデータはコントローラ７に入力される。
【００７２】
コントローラ７は、ヘッダ部Ｄの情報により、受信信号が通信機３０宛てに送信されたか否か判断する。コントローラ７は、受信信号が通信機３０宛てに送信されたと判断しなかった場合、ヘッダ部Ｈのデータを廃棄し、データ部Ｄのデータを廃棄するように受信部４を制御する。一方、コントローラ７は、受信信号が通信機３０宛てに送信されたと判断した場合、受信した通信フレームＦを順次処理するように制御を行う。
【００７３】
そして、受信信号のデータ部Ｄに含まれるデータのうち、音声フレームに含まれる音声データは音声Ａ／Ｄ・Ｄ／Ａ変換部５に入力され、データフレームに含まれるデータ通信用のデータは、インターフェース部６に入力される。インターフェース部６に入力されたデータは、外部入出力端子１７を通ってパソコン１５へ出力される。
【００７４】
コントローラ７は、データ通信用のデータを処理するにあたり、データフレームにミニヘッダＭＨが設けられる場合、ミニヘッダＭＨに記述された情報を参照して処理する。
【００７５】
音声Ａ／Ｄ・Ｄ／Ａ変換部（音声アナログ／ディジタル・ディジタル／アナログ変換部）５は、音声信号をアナログ信号とディジタル信号間で信号変換を行うアナログ−ディジタル変換機能を備えている。通信機３０が受信機として機能する場合、音声Ａ／Ｄ・Ｄ／Ａ変換部５は、ディジタルの音声信号をアナログの音声信号に変換するアナログ変換機能を有する。
【００７６】
また、音声Ａ／Ｄ・Ｄ／Ａ変換部５は、通信機３０が受信機として機能する場合、アナログ変換するにあたり、ディジタル信号を伸張する伸張機能を有する。そして、音声Ａ／Ｄ・Ｄ／Ａ変換部５は、受信部４より入力されたディジタルの音声信号を伸張した後、アナログの音声信号に変換する。
【００７７】
音声Ａ／Ｄ・Ｄ／Ａ変換部５によりアナログ信号とされた音声信号は、増幅器８に入力される。増幅器８は、入力された音声信号を増幅し、スピーカ１０に出力する。スピーカ１０は、入力された音声信号に基づき、送信機のユーザの通話音を出力する。
【００７８】
コントローラ７は、前述のごとくＣＰＵ、ＲＯＭ、及びＲＡＭを備えている。そして、コントローラ７が通信機３０を受信機として機能させる制御を行うための制御プログラムは、ＲＯＭに格納されている。
【００７９】
次に、以上に説明した通信機３０の動作について、図４も参酌しつつ説明する。図４は、通信フレームＦを生成して送信する送信処理のフローチャートである。通信機３０のユーザが相手方の受信機と通信を開始する操作を行うと、送信処理が開始される。
【００８０】
なお、ユーザが相手方の受信機と通信を開始するための操作には、自局（通信機３０）のＩＤ等の自局を特定する識別情報や、相手方の受信機のＩＤ等の相手局を特定する識別情報を入力する操作が含まれている。そして、ユーザにより入力されたこれら識別情報等は、図４に図示しない手順によりコントローラ７に読み込まれる。
【００８１】
通信機３０より、ユーザに対して複数のデータフレームを結合させる処理に関する問い合わせが行われる（ステップＳ１１）。この問い合わせは、問い合わせのメッセージをディスプレイ１２に表示することによって行われる。
【００８２】
この問い合わせに対して、ユーザがデータフレームを結合する処理を行うか否かに関する回答、及び複数のデータフレームを結合させる場合におけるデータフレームの個数、を入力する操作を行うと、データフレームの結合についての条件が読み込まれる（ステップＳ１２）。
【００８３】
ステップＳ１２で読み込んだ条件に基づき、ユーザが複数のデータフレームを結合させることを希望したか否かを判断する（ステップＳ１３）。ユーザがデータフレームを結合しないことを入力したと判断すると（ステップＳ１３、ＮＯ）、ミニヘッダＭＨを一つ設けるデータフレーム数ＮＤに１をセットする（ステップＳ１４）。
【００８４】
一方、ユーザがデータフレームを結合することを入力したと判断すると（ステップＳ１３、ＹＥＳ）、結合するデータフレームの個数ｎの条件を読み込み（ステップＳ１５）、ミニヘッダＭＨを一つ設けるデータフレーム数ＮＤにｎをセットする（ステップＳ１６）。
【００８５】
次に、コントローラ７は、ユーザにより入力された自局や相手局のＩＤ等にデータに基づき通信フレームＦのヘッダ部Ｈを生成し、送信する処理を行う（ステップＳ１７）。コントローラ７は、ヘッダ部Ｈを生成して送信部３に出力する。ヘッダ部Ｈは送信部３により処理され、アンテナ１より送信される。
【００８６】
次に、データフレームを結合させる場合の処理を行うための、フレーム数カウントパラメータｋに１をセットする（ステップＳ１８）。
【００８７】
次に、コントローラ７は、音声フレームを生成して送信するための処理を行う（ステップＳ１９）。コントローラ７の制御により、ユーザの通話音に基づく音声信号が音声フレームに挿入される。そして、この音声フレームは送信部３により処理され、アンテナ１より送信される。
【００８８】
次に、コントローラ７は、データフレームを生成して送信するための処理を開始する（ステップＳ２０）。コントローラ７は、データフレーム数ＮＤが１か否か判断する（ステップＳ２１）。ＮＤが１でない場合（ステップＳ２１、ＮＯ）、ｋが１か否か判断する（ステップＳ２２）。
【００８９】
ＮＤが１である場合（ステップＳ２１、ＹＥＳ）、又はＮＤが１でないが（ステップＳ２１、ＮＯ）、ｋが１である場合（ステップＳ２２、ＹＥＳ）、ミニヘッダＭＨを生成する（ステップＳ２３）。
【００９０】
ステップＳ２３において、ミニヘッダＭＨを生成するにあたり、このミニヘッダＭＨが設けられるデータフレームにより送信するデータ信号に関する情報を記述する。また、ＮＤ＝１でない場合、ステップ２３において、後に送信するデータ信号も含め、一つのミニヘッダＭＨに結合している複数のデータフレームに挿入されるデータ信号に関する情報を、ミニヘッダＭＨに記述する。
【００９１】
次に、コントローラ７は、インターフェース部６を介してパソコン１５より出力されたデータ信号を取り込む処理を行う（ステップＳ２４）。次に、コントローラ７は、ミニヘッダＭＨを設けたデータフレームにデータ信号を挿入すべく、データ信号に対して、先頭にミニヘッダＭＨを付加する処理を行う（ステップＳ２５）。ステップＳ２５で生成されたデータフレームは、送信部３に送信されて処理された後、アンテナ１より送信される（ステップＳ２６）。
【００９２】
一方、ステップＳ２２において、ｋ＝１でない場合（ステップＳ２２、ＮＯ）、コントローラ７は、インターフェース６を介してパソコン１５より出力されたデータ信号を取り込む処理を行う（ステップＳ２７）。ステップＳ２７で取り込んだデータ信号が挿入されたデータフレームは、送信部３に送信されて処理された後、アンテナ１より送信される（ステップＳ２６）。
【００９３】
コントローラ７は、通信機３０のユーザが通信を終了する操作を入力したことを検出すると、送信処理を終了する（ステップＳ２８、ＹＥＳ）。一方、コントローラ７は、通信機３０のユーザが通信を終了する操作を入力したことを検出しない場合（ステップＳ２８、ＮＯ）、フレーム数カウントパラメータｋを（ｋ＋１）に更新する（ステップＳ２９）。
【００９４】
そして、ｋが（ｎ＋１）に等しくなったか否か判断する（ステップＳ３０）。ｋが（ｎ＋１）に等しくなっていない場合（ステップＳ３０、ＮＯ）、ステップＳ１９に移行する。一方、ｋが（ｎ＋１）に等しくなった場合（ステップＳ３０、ＹＥＳ）、ｋに１をセットし（ステップＳ３１）、ステップＳ１９へ移行する。
【００９５】
この通信機３０では、以上に説明したように、音声信号及びデータ信号を送信するための通信フレームＦを生成するにあたり、データフレームにミニヘッダＭＨを設ける。そして、このミニヘッダＭＨにデータフレームにより送信するデータ信号に関する情報を記述する。
【００９６】
これにより、音声信号とともに送信するデータ信号として、一つの種類の信号に限られず、多種類の信号を送信することができる。これにより、データ通信の通信効率を向上させることができる。特に、通信機３０による通話が長時間に及ぶ場合、データ信号の送信可能な時間も長時間となるが、この間に多種類のデータ信号を送信することも可能である。これにより、データ通信の通信効率を向上させることができる。
【００９７】
また、ミニヘッダＭＨを設けるにあたり、複数のデータフレームに結合関係を与え、この複数のデータフレームに対して一つのミニヘッダＭＨを設ける場合、通信フレームＦ中の全てのデータフレームにおける、ミニヘッダＭＨを設けるための容量を低減できる。これにより、データ通信の目的のためにデータフレームを有効利用でき、データ通信の通信効率をより向上させることができる。
【００９８】
なお、以上の説明では、ステップＳ１１でデータフレームを結合させる処理に関して、ユーザに問い合わせを行っている。データフレームを結合させるにあたり、送信するデータを入力又は通信機３０内部で生成した場合に、自動的にデータフレームの結合条件を作るようにしてもよい。
【００９９】
また、以上に説明した通信機３０にあっては、送信する信号をＧＭＳＫ変調方式により変調するとして説明した。本発明を実施するにあたり、他の変調方式を採用することもできる。本発明を実施するための通信機が採用する変調方式として、ＱＰＳＫ変調方式やその他の変調方式を採用することもできる。
【０１００】
また、以上の説明では、パソコン１５より通信機３０に取り込んだデータをデータフレームにより送信する例を挙げた。本発明を実施するにあたり、パソコン以外の他の装置より出力されたディジタルデータを送信機に取り込み、このデータをデータフレームに挿入して送信することもできる。例えば、本発明に係る送信機により、ＧＰＳ（Global Positioning System）のデータを取り込み、このデータをデータフレームに挿入して送信することもできる。
【図面の簡単な説明】
【０１０１】
【図１】本発明の一実施形態の送信機として機能する通信機のブロック図である。
【図２】通信機が送信する信号の通信フレームを示す図である。
【図３】通信フレームに含まれるデータ部の構成を示す図である。
【図４】送信処理のフローチャートである。
【符号の説明】
【０１０２】
１    アンテナ
２    送受信切替部
３    送信部
４    受信部
５    音声Ａ／Ｄ・Ｄ／Ａ変換部
６    インターフェース部
７    コントローラ
８    増幅器
９    マイク
１０    スピーカ
１１    操作部
１２    ディスプレイ
１５    データ通信用パソコン
１７    外部入出力端子
３０    通信機
【図１】
2006157477.tif 000003
【図２】
2006157477.tif 000004
【図３】
2006157477.tif 000005
【図４】
2006157477.tif 000006